(57)【要約】【課題】ドアホン子器の消費電力を抑えることで該ドアホン子器が備える電池の寿命を延ばしたインターホンシステムを提供する。【解決手段】インターホンシステムは、宅外に設置されて電池２９により駆動されるドアホン子器２と、宅内に設置されてドアホン子器２との間で通話可能なインターホン親機１と、インターホン親機１を介してドアホン子器２との間で通話可能な携帯型のインターホン副親機３とを備える。ドアホン子器２は、呼出ボタン２７が押されるとカメラ２６により来訪者を撮像させ、撮像した画像情報を呼出信号とともに無線送受信部２２から送信させる。その後、インターホン副親機３の操作ボタン３６により通話操作が行われると、ドアホン子器２は上記の画像情報の送信を停止するとともに、インターホン親機１を介してインターホン副親機３との間で通話を開始する。【選択図】図１
2011146802.tif 000002
【特許請求の範囲】
【請求項１】
呼出ボタン、音声通話を行うための第１の通話手段、来訪者を撮像する撮像手段、及び音声信号と前記撮像手段で撮像された画像情報とを無線通信により伝送する第１の無線通信手段を具備し、電池により駆動されるドアホン子器と、
音声通話を行うための第２の通話手段、音声信号と前記画像情報とを無線通信により伝送する第２の無線通信手段、及び前記画像情報を表示する表示手段を具備し、前記ドアホン子器との間で無線通信により相互に伝送される音声信号により該ドアホン子器との間で通話可能なインターホン親機と、
通話ボタン、音声通話を行うための第３の通話手段、及び少なくとも音声信号を無線通信により伝送する第３の無線通信手段を具備し、前記インターホン親機を介して前記ドアホン子器との間で相互に伝送される音声信号により該ドアホン子器との間で通話可能な携帯型のインターホン副親機とを備え、
前記インターホン副親機は携帯通話端末からなり、前記ドアホン子器は、少なくとも前記呼出ボタンが押されると前記撮像手段により来訪者を撮像するとともに、撮像した画像情報を前記第１の無線通信手段により送信し、前記インターホン副親機の通話ボタンが押されると前記画像情報の送信を停止するとともに、前記インターホン副親機との通話を開始することを特徴とするインターホンシステム。
【発明の詳細な説明】
【技術分野】
【０００１】
本発明は、インターホンシステムに関するものである。
【背景技術】
【０００２】
従来より、ワイヤレス通信によって通話を可能にしたインターホンシステムが提供されている（例えば特許文献１参照）。このインターホンシステムは、玄関などの宅外に設置されるドアホン子器と、宅内に設置されてドアホン子器との間で通話可能なインターホン親機とを備え、ドアホン子器とインターホン親機の間、又はインターホン親機間でワイヤレス通信をすることによって、ドアホン子器からの呼び出しに対する通話、又はインターホン親機間の内線通話を行うことができるようになっている。
【先行技術文献】
【特許文献】
【０００３】
【特許文献１】特開２００２−２５２７１１号公報（段落［０００４］−段落［０００５］、及び、第７図）
【発明の概要】
【発明が解決しようとする課題】
【０００４】
上述の特許文献１に示したインターホンシステムでは、ドアホン子器とインターホン親機の間、及びインターホン親機間の通信をワイヤレス化したことに伴い、施工性の向上を図るためにドアホン子器の動作電源として電池を採用しており、メンテナンス性などの面から電池の寿命を延ばすことが期待されていた。
【０００５】
本発明は上記問題点に鑑みて為されたものであり、その目的とするところは、ドアホン子器の消費電力を抑えることで該ドアホン子器が備える電池の寿命を延ばしたインターホンシステムを提供することにある。
【課題を解決するための手段】
【０００６】
請求項１の発明は、呼出ボタン、音声通話を行うための第１の通話手段、来訪者を撮像する撮像手段、及び音声信号と撮像手段で撮像された画像情報とを無線通信により伝送する第１の無線通信手段を具備し、電池により駆動されるドアホン子器と、音声通話を行うための第２の通話手段、音声信号と画像情報とを無線通信により伝送する第２の無線通信手段、及び画像情報を表示する表示手段を具備し、ドアホン子器との間で無線通信により相互に伝送される音声信号により該ドアホン子器との間で通話可能なインターホン親機と、通話ボタン、音声通話を行うための第３の通話手段、及び少なくとも音声信号を無線通信により伝送する第３の無線通信手段を具備し、インターホン親機を介してドアホン子器との間で相互に伝送される音声信号により該ドアホン子器との間で通話可能な携帯型のインターホン副親機とを備え、インターホン副親機は携帯通話端末からなり、ドアホン子器は、少なくとも呼出ボタンが押されると撮像手段により来訪者を撮像するとともに、撮像した画像情報を第１の無線通信手段により送信し、インターホン副親機の通話ボタンが押されると画像情報の送信を停止するとともに、インターホン副親機との通話を開始することを特徴とする。
【発明の効果】
【０００７】
請求項１の発明によれば、インターホン副親機が携帯通話端末であり、受話口を耳に当てて使用するので、表示手段が設けられている場合でも通話中に表示手段を見ることはほとんどない。そのため、インターホン副親機との通話が開始されるまでの間に画像を表示できればいいことから、通話ボタンが押された後は画像情報を送信しなくてもよく、その結果ドアホン子器の消費電力を抑えることができて電池の寿命を延ばすことができるという効果がある。
【図面の簡単な説明】
【０００８】
【図１】本実施形態のインターホンシステムの概略ブロック図を示し、（ａ）はインターホン親機、（ｂ）はドアホン子器、（ｃ）はインターホン副親機である。
【図２】同上のシステム構成図である。
【図３】同上のフローチャートである。
【発明を実施するための形態】
【０００９】
以下に、本発明に係るインターホンシステムの実施形態を図１〜図３に基づいて説明する。本発明に係るインターホンシステムは、例えば住宅などに設置されて来訪者との間で通話を行うために用いられるものである。
【００１０】
本実施形態のインターホンシステムは、玄関などの宅外に設置されるドアホン子器２と、宅内に設置されてドアホン子器２との間で通話可能なインターホン親機１と、インターホン親機１を介してドアホン子器２との間で通話可能な携帯型のインターホン副親機３とを備えている。
【００１１】
ドアホン子器２は、図１（ｂ）に示すように、マイクロホン２４及びスピーカー２５を用いてインターホン親機１又はインターホン副親機３との間で音声通話を行う子器通話部（第１の通話手段）２３と、来訪者を撮像するための撮像手段たるカメラ２６と、インターホン親機１との無線通信により音声信号及びカメラ２６で撮像された画像情報を伝送する無線送受信部（第１の無線通信手段）２２と、呼出ボタン２７と、全般的な制御を行う制御部２１と、電池（例えばリチウムイオン二次電池など）２９と、電池２９から電力供給を受けて内部電源を生成する電源回路部２８とを備えている。すなわち、本実施形態のドアホン子器２は、電池２９により駆動されるのである。なお、図２にはドアホン子器２の概略外観図を示しており、子器本体の前面にはカメラ２６と呼出ボタン２７とがそれぞれ配置されている。
【００１２】
インターホン親機１は、図１（ａ）に示すように、マイクロホン１４及びスピーカー１５を用いてドアホン子器２との間で音声通話を行う親機通話部（第２の通話手段）１３と、ドアホン子器２又はインターホン副親機３との無線通信により音声信号及び上記の画像情報を伝送する無線送受信部（第２の無線通信手段）１２と、上記の画像情報を表示する表示手段たるモニター１６と、全般的な制御を行う制御部１１とを備えている。また、図２にはインターホン親機１の概略外観図を示しており、親機本体の前面にはモニター１６と通話ボタン１７とがそれぞれ配置されている。したがって、ドアホン子器２からの呼び出しに対して通話ボタン１７を押すことで、ドアホン子器２との間で通話が可能になる。
【００１３】
インターホン副親機３は、図１（ｃ）に示すように、マイクロホン３４及びスピーカー３５を用いてドアホン子器２との間で音声通話を行う副親機通話部（第３の通話手段）３３と、インターホン親機３との無線通信により音声信号及び上記の画像情報を伝送する無線送受信部（第３の無線通信手段）３２と、通話操作などの操作を行うための操作ボタン３６と、全般的な制御を行う制御部３１とを備えている。すなわち、本実施形態のインターホンシステムでは、図２に示すように、インターホン親機１とドアホン子器２の間、及びインターホン親機１とインターホン副親機３の間それぞれで無線通信が行われ、したがってドアホン子器２とインターホン副親機３の間で通話する際には、両者の間で伝送される音声信号がインターホン親機１を介して伝送されることになる。
【００１４】
ここに、本実施形態では、インターホン副親機３として、図２に示すような携帯通話端末を採用しており、したがってインターホン副親機３を用いて通話する際には、受話口３８を耳に当てて使用することになる。なお、図２中の３７はインターホン副親機３のモニターを示している。
【００１５】
次に、本インターホンシステムの動作について、図３に示すフロチャートを参照しながら説明する。なお、以下の説明では、ドアホン子器２とインターホン副親機３の間で通話を行う場合について説明する。まず最初に、ドアホン子器２の制御部２１が、呼出ボタン２７が押されたか否かを判別し（ステップＳ１）、呼出ボタン２７が押されていない場合には呼出ボタン２７が押されるまでステップＳ１を繰り返すことになる。ステップＳ１において呼出ボタン２７が押された場合には、制御部２１はカメラ２６により来訪者を撮像させ、撮像した画像情報を呼出信号とともに無線送受信部２２からインターホン親機１に送信させる（ステップＳ２）。なお、上記の画像情報は、インターホン親機１のモニター１６に表示されるとともに、インターホン親機１を介してインターホン副親機３にも伝送され、インターホン副親機３が備えるモニター３７（図２参照）に表示される。その後、インターホン副親機３の制御部３１が、操作ボタン３６により通話操作が行われたか否かを判別し（ステップＳ３）、通話操作が行われるまでは呼び出しを継続するが（ステップＳ８）、所定の呼出時間が経過するとタイムアップで待機状態に戻る（ステップＳ９）。
【００１６】
一方、ドアホン子器２からの呼出中に操作ボタン３６により通話操作が行われると、制御部３１は通話操作が行われたことを示す所定の操作信号を無線送受信部３２からインターホン親機１に送信させ、インターホン親機１の制御部１１では、上記の操作信号を受け取ると、インターホン副親機３が応答したことを示す所定の応答信号を無線送受信部１２からドアホン子器２に送信させる。そして、ドアホン子器２の制御部２１は、上記の応答信号からインターホン副親機３が応答したことを知り、その後、カメラ２６による撮像を停止させるとともに画像情報の送信を停止させ、インターホン副親機３との通話モードへと移行する（ステップＳ４）。上記の通話モードにおいてドアホン子器２とインターホン副親機３との間で通話を行った後（ステップＳ５）、インターホン副親機３の操作ボタン３６により通話終了操作が行われると（ステップＳ６）、通話モードが終了し、ドアホン子器２及びインターホン副親機３がそれぞれ待機状態に戻る（ステップＳ７）。
【００１７】
なお、ドアホン子器２からの呼出中（ステップＳ８）においてインターホン親機１の通話ボタン１７が押された場合には、インターホン親機１とドアホン子器２の間で通話が行われることになり、この場合、ドアホン子器２はインターホン親機１に対して上記の画像情報を送信し続ける。したがって、インターホン親機１とドアホン子器２の通話中は、来訪者の画像がモニター１６に表示され続けることになる。一方、インターホン副親機３とドアホン子器２の通話中は、上述したようにインターホン副親機３への画像情報の送信は停止されるので、モニター３７には来訪者の画像は表示されない。
【００１８】
而して、本実施形態によれば、インターホン副親機３が携帯通話端末であり、受話口３８を耳に当てて使用するので、モニター３７が設けられていても通話中にモニター３７を見ることはほとんどない。そのため、インターホン副親機３との通話が開始されるまでの間に画像を表示できればいいことから、操作ボタン３６により通話操作が行われた後は画像情報を送信しなくてもよく、その結果ドアホン子器２の消費電力を抑えることができて電池２９の寿命を延ばすことができる。
【００１９】
なお、本実施形態では、インターホン副親機３にモニター３７を設けているが、モニター３７は必ずしも設けなくてもよい。また、ドアホン子器２が備える電池２９は二次電池であってもいいし、一次電池であってもよい。
【符号の説明】
【００２０】
１  インターホン親機
２  ドアホン子器
３  インターホン副親機
２２  無線送受信部（第１の無線通信手段）
２６  カメラ（撮像手段）
２７  呼出ボタン
２９  電池
３６  操作ボタン
【図１】
2011146802.tif 000003
【図２】
2011146802.tif 000004
【図３】
2011146802.tif 000005